(57)【要約】【課題】  患者からの呼び出しに対して携帯端末で応答操作した際に、応対する旨の信号を返信するだけで良く、その際患者と通話する必要のないナースコールシステムを提供する。【解決手段】 個々の看護師が携行して患者からの呼び出しが無線通知される複数のウェアラブル端末５を具備し、制御装置ＣＰＵ４４は、子機１による呼び出しが発生したら、少なくとも１つのウェアラブル端末５に対して呼出通知の信号を送信し、ウェアラブル端末５は、制御装置４から呼出通知を受けたら、振動等で報知する報知部５４と、呼出元情報を表示する表示部５２と、呼出通知を受けて応対する旨の返信を行うための操作部５３と、返信操作を受けたら応対通知信号を生成して返信するウェアラブル端末ＣＰＵ５６とを有し、応対通知信号を受信した制御装置４は通話路を形成せずに呼出制御を終了する。【選択図】  図１
2019193016.tif 000002
【特許請求の範囲】
【請求項１】
患者が看護師を呼び出すためのナースコール子機と、呼び出しに看護師が応答するためのナースコール親機と、機器間の通信を制御する制御装置とを有するナースコールシステムにおいて、
個々の看護師が携行して患者からの呼び出しが無線通知される複数の携帯端末を具備する一方、
前記制御装置は、前記ナースコール子機による呼び出しが発生したら、少なくとも１つの前記携帯端末に対して呼出通知をする呼出制御部を有し、
前記携帯端末は、前記制御装置から呼出通知を受けたら、音或いは振動により報知する呼出報知部と、呼出元情報を表示する表示部と、呼出通知を受けて応対する旨の返信を行うための操作部と、返信操作を受けたら応対通知信号を生成して返信する通信制御部とを有し、
前記制御装置の呼出制御部は、前記応対通知信号を受信したら、通話路を形成せずに呼出制御を終了することを特徴とするナースコールシステム。
【請求項２】
前記呼出制御部は、前記携帯端末から前記応対通知信号を受けて呼出制御を終了した時点から、所定の時間以内に返信操作した前記携帯端末から所定の信号を受信しなかったら、前記返信操作した携帯端末に対して、呼出通知を再送することを特徴とする請求項１記載のナースコールシステム。
【請求項３】
前記制御装置は、再送した呼出通知に対して応答がなければ、他の携帯端末に呼出通知を転送することを特徴とする請求項２記載のナースコールシステム。
【請求項４】
前記携帯端末は、腕に装着するウエアラブル端末であることを特徴とする請求項１乃至３の何れかに記載のナースコールシステム。
【請求項５】
前記制御装置は、患者毎に設定した呼出先の看護師グループを記憶する呼出先テーブル記憶部を有し、前記ナースコール子機による呼出通知は、前記看護師グループに対して一斉に成されることを特徴とする請求項１乃至４の何れかに記載のナースコールシステム。
【発明の詳細な説明】
【技術分野】
【０００１】
本発明は、ナースコールシステムに関し、特に個々の看護師が携帯端末を携行して、患者からの呼び出しが看護師に直接通知されるナースコールシステムに関する。
【背景技術】
【０００２】
従来より、ナースコール子機による患者からの呼び出しに対して、看護師が携行している携帯端末で応答するナースコールシステムがある（例えば、特許文献１参照）。
このようなナースコールシステムでは、携帯端末に呼び出しを通知する際に、呼出先を１台の携帯端末に限定せず、即ち一人の看護師に限定せず、複数の看護師を応答操作されるまで順番に呼び出しを行った。また、呼び出しを受けて応答操作したら自動的に通話路が形成されて、応答操作した看護師と呼出元の患者との間で通話が可能となった。
【先行技術文献】
【特許文献】
【０００３】
【特許文献１】特開２００５−２９４９３０号公報
【発明の概要】
【発明が解決しようとする課題】
【０００４】
上述したように、従来のナースコールシステムでは、患者からの呼び出しに対して応答操作することは、患者と通話することが前提となっており、応答操作により自動的に通話路が形成された。
しかしながら、すぐに駆けつけることができる状況では、直接患者の元へ駆けつければ良く、通話することが面倒と感じる場合があった。また、看護師グループ内で呼び出しを順次転送するよう設定されているため、最初に呼び出されるよう設定されている看護師の負担が大きかった。
更に、近年は携帯端末としてスマートフォンが普及しているが、スマートフォンは患者の映像等を大きく表示できる反面、従来より重いし落とし易かった。
【０００５】
そこで、本発明はこのような問題点に鑑み、患者からの呼び出しに対して携帯端末で応答操作した際に、応対する旨の信号を返信するだけで良く、その際患者と通話する必要のないナースコールシステム、更には軽量化して腕等に装着可能とした携帯端末を備えたナースコールシステムを提供することを目的としている。
【課題を解決するための手段】
【０００６】
上記課題を解決する為に、請求項１の発明は、患者が看護師を呼び出すためのナースコール子機と、呼び出しに看護師が応答するためのナースコール親機と、機器間の通信を制御する制御装置とを有するナースコールシステムにおいて、個々の看護師が携行して患者からの呼び出しが無線通知される複数の携帯端末を具備する一方、制御装置は、ナースコール子機による呼び出しが発生したら、少なくとも１つの携帯端末に対して呼出通知をする呼出制御部を有し、携帯端末は、制御装置から呼出通知を受けたら、音或いは振動により報知する呼出報知部と、呼出元情報を表示する表示部と、呼出通知を受けて応対する旨の返信を行うための操作部と、返信操作を受けたら応対通知信号を生成して返信する通信制御部とを有し、制御装置の呼出制御部は、応対通知信号を受信したら、通話路を形成せずに呼出制御を終了することを特徴とする。
この構成によれば、呼び出しの通知を受けて携帯端末で返信操作した看護師は、その後患者と通話することなく患者の元へ駆けつければ良いため、看護師の負担を軽減できる。
【０００７】
請求項２の発明は、請求項１に記載の構成において、呼出制御部は、携帯端末から応対通知信号を受けて呼出制御を終了した時点から、所定の時間以内に返信操作した携帯端末から所定の信号を受信しなかったら、返信操作した携帯端末に対して、呼出通知を再送することを特徴とする。
この構成によれば、返信した看護師がその後患者のもとへ行かなかったら、所定の信号の未受信からそれを認識して呼出通知の再送が行われる。よって、返信操作したにも関わらず患者の元へ行き忘れることを防止できる。
【０００８】
請求項３の発明は、請求項２に記載の構成において、制御装置は、再送した呼出通知に対して応答がなければ、他の携帯端末に呼出通知を転送することを特徴とする。
この構成によれば、呼出通知の再送に対して返信がなければ、他の看護師に呼出通知が再送されるため、返信操作した看護師に急用が発生して患者の元へ直ぐに行けなくなっても、他の看護師が患者の元へ駆けつけることができ、呼び出しが放置されることがない。
【０００９】
請求項４の発明は、請求項１乃至３の何れかに記載の構成において、携帯端末は、腕に装着するウエアラブル端末であることを特徴とする。
この構成によれば、携帯端末をポケット等から取り出したり納める操作が無くなるため、応答操作がし易い。また、落とす必要も無くなり故障し難くなる。
【００１０】
請求項５の発明は、請求項１乃至４の何れかに記載の構成において、制御装置は、患者毎に設定した呼出先の看護師グループを記憶する呼出先テーブル記憶部を有し、ナースコール子機による呼出通知は、看護師グループに対して一斉に成されることを特徴とする。
この構成によれば、複数の携帯端末に一斉に呼び出しが通知されるため、特定の携帯端末に呼出通知が集中することがなく、一部の看護師に負担が集中するのを防止できる。
【発明の効果】
【００１１】
本発明によれば、呼び出しを受けて携帯端末で返信信作した看護師は、その後患者と通話することなく患者の元へ駆けつければ良いため、看護師の負担を軽減できる。
【図面の簡単な説明】
【００１２】
【図１】本発明に係るナースコールシステムの一例を示す構成図である。
【図２】制御装置の機能ブロック図である。
【図３】ウェアラブル端末の機能ブロック図である。
【図４】ウェアラブル端末の表示説明図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出すためのナースコール子機（以下、単に「子機」と称する。）、２は病室毎に設置されて子機１による呼出発生を報知すると共に患者情報を表示する廊下灯、３はナースステーションに設置されて看護師が患者からの呼び出しに応答するためのナースコール親機（以下、単に「親機」と称する。）、４は機器間の通信を制御する制御装置、５は看護師の腕に装着されて患者からの呼び出しが通知される携帯端末としてのウェアラブル端末、６はウェアラブル端末５と通信するアクセスポイントである。
【００１４】
廊下灯２、親機３、制御装置４、及びアクセスポイント６は、病院内に配設されたＬＡＮ１０を介して接続されている。また子機１は病室毎に廊下灯２に伝送線Ｌ１を介して接続されている。尚、７は機器をＬＡＮ１０に接続するためのＨＵＢである。
【００１５】
子機１は、呼出操作する呼出握りボタン１ａと、通話するためのマイク及びスピーカを備えて壁面に設置されたプレート子機１ｂとで構成され、呼出握りボタン１ａはケーブルを介してプレート子機１ｂに接続され、プレート子機１ｂが廊下灯に伝送線Ｌ１により接続されている。
【００１６】
廊下灯２は、病室の入口付近に設置されて病室内の子機１による呼び出しが発生したら、点滅して呼出発生の報知動作をする表示灯２ａ、病室の患者情報を表示する患者情報表示部２ｂを有し、子機１から送出された呼出信号を中継し、ＬＡＮ１０を介して制御装置４に送信する。
【００１７】
親機３は、子機１からの呼び出しに応答するためのハンドセット３１、病棟の入院患者一覧や病棟レイアウトを表示すると共に、タッチパネルによる各種操作を行う大型の第１ディスプレイ３２、呼び出し発生を受けて、或いは応答操作後の通話時に呼出元の患者情報を表示する小型の第２ディスプレイ３３、呼出音等を発報する報音部（図示せず）等を備えている。
【００１８】
制御装置４は、図２の機能ブロック図に示すように構成されている。図２に示すように、患者と子機１の関係、及び患者毎の担当看護師（看護師グループ）を記憶する患者関連情報記憶部４１、看護師とウェアラブル端末５の関係を記憶する端末情報記憶部４２、呼び出しに対する返信履歴を記憶する呼出／返信履歴記憶部４３、子機１による呼び出しを制御すると共に制御装置４を制御する制御装置ＣＰＵ４４、ＬＡＮ１０に接続するための制御装置通信ＩＦ４５等を備えている。
【００１９】
ウェアラブル端末５は、図３の機能ブロック図に示す構成を有している。図３に示すように、アクセスポイント６を介して制御装置４と無線通信する無線通信部５１、呼び出し元情報や操作画面が表示されるＬＣＤから成る表示部５２、表示部５２と一体に設けられて初期設定操作や返信操作を行う操作部としてのタッチパネル５３、バイブレーション或いは音で呼び出し発生を知らせる報知部５４、タッチパネルの操作ボタン等のアプリケーションソフトウェアを記憶する記憶部５５、ウェアラブル端末５を制御するウェアラブル端末ＣＰＵ５６等を備えている。
ウェアラブル端末５は、使用を始める際に、タッチパネル５３を操作して看護師のＩＤが入力する初期設定が成される。入力されたＩＤは、アクセスポイント６を介して制御装置４が認識して登録される。
尚、アクセスポイント６はインターネットプロトコルで動作し、ウェアラブル端末５とは、例えばＷｉ−Ｆｉ通信を実施する。
【００２０】
上記の如く構成されたナースコールシステムは以下の様に動作する。呼出握りボタン１ａが操作されて呼び出しが成されると、プレート子機１ｂから廊下灯２に呼出信号が送信される。呼出信号は廊下灯２において子機ＩＤが添付されてＬＡＮ１０を介して制御装置４に送信される。
廊下灯２から送信された呼出信号を受信した制御装置は４、子機ＩＤ情報を元に患者関連情報記憶部４１から、病室番号、ベッド番号、患者名を読み取り、これらの情報を添付した呼出信号を親機３に送信する。同時に、同様に病室番号、ベッド番号、患者名情報を添付した信号を呼出通知としてウェアラブル端末５に送信する。
ただに、ウェアラブル端末５に対する呼出通知は、予め患者毎に設定されている看護師グループの個々の看護師が携行するウェアラブル端末５に対して一斉に送信される。
【００２１】
この呼出通知を受信したウェアラブル端末５は、ウェアラブル端末ＣＰＵ５６の制御により、例えば報知部５４のバイブレーション機能等により呼出発生を報知し、携行者である看護師に認識させる。同時に呼出通知の信号に添付されている呼出元情報を読み取り、病室番号、ベッド番号、患者氏名を表示する。
振動により呼出通知を認識した看護師は、表示部５２に表示されている患者情報を確認して、応対可能であれば表示部５２に同時に表示されている応対ボタン（図示せず）をタッチ操作して返信する。この返信操作で、応対通知信号が生成されてアクセスポイント７を介して制御装置４に返信される。
【００２２】
応対通知信号を受信した制御装置４は、制御装置ＣＰＵ４４の制御により呼出制御を終了して、所定時間のカウントを開始する。
具体的に、応対通知信号を受信すると、親機３への呼出信号の送信、及び他のウェアラブル端末５への呼出通知を終了する。同時に、再呼び出しするまでの時間（例えば４分）のカウントを開始する。更に、呼出元の廊下灯２に対しては呼出終了信号を送信する。
呼出終了信号を受信した廊下灯２は、表示灯２ａの点滅を終了して待受状態に戻る。
【００２３】
尚、ウェアラブル端末５が返信操作される前に親機３が応答操作された場合は、応答信号が制御装置４へ送信されて子機１と親機３との間で通話路が形成される。通話路の形成により、看護師と患者との間で通話が実施され、その後通話が終了すると待受状態に戻る。
【００２４】
図４はウェアラブル端末５の表示部５２（タッチパネル５３）の説明図であり、返信操作をした後の表示を示している。図４に示すように、返信操作をしたウェアラブル端末５は、呼出元の患者情報が継続して表示され、応対ボタンに替わって新たに応対中或いは応対後に操作する完了ボタン５ａが表示される。
この完了ボタン５ａがタッチされると、完了信号が制御装置４に送信され、待ち受け画面に戻る。
【００２５】
一方、応対通知信号を受信して再呼び出しするまでの時間をカウントしている制御装置４は、その間に完了信号を受信するとカウントを終了する。そして、呼出操作した患者の情報、及び応対操作した看護師の情報等を呼出／返信履歴記憶部４３に保存する。この履歴の保存は、患者の処置履歴の作成に活用される。
【００２６】
ただし、返信操作してから所定時間が経過しても、完了ボタン５ａが操作されなければ、制御装置４は、返信操作したウェアラブル端末５に対して呼出通知を再送する。
この呼出通知の再送を受けて返信操作すれば、この時点で呼出通知は終了となるが、再通知を受けてから３０秒等一定時間が経過しても返信操作が無ければ、最初に呼び出しを実施した看護師グループを構成する他のウェアラブル端末５に対して呼出通知を転送して引き続き返信操作を待つ。
【００２７】
このように、呼び出しの通知を受けてウェアラブル端末５で返信操作した看護師は、返信操作した際に患者と通話することなく患者の元へ駆けつければ良いため、看護師の負担を軽減できる。
また、返信した看護師がその後患者のもとへ行かなかったら、所定の信号の未受信からそれを認識して呼出通知の再送信が行われる。よって、返信したにも関わらず患者の元へ行き忘れる事態の発生を防止できる。
更に、呼出通知の再送に対して返信がなければ、他の看護師に呼出通知が再送されるため、返信操作した看護師に急用が発生して患者の元へ直ぐに行けなくなっても、他の看護師が患者の元へ駆けつけることができ、呼び出しが放置されることがない。
また、ウェアラブル端末５は腕に装着されるため、ポケット等から取り出したり納める操作が必要なく、応答操作がし易い。また、落とす必要も無くなり故障し難くなる。
加えて、複数のウェアラブル端末５を一斉に呼び出すため、特定の看護師に呼出通知が集中することがなく、一部の看護師に負担が集中するのを防止できる。
【００２８】
尚、上記実施形態では、看護師が携行する携帯端末を腕に装着するウェアラブル端末５としたが、従来の携帯電話のような形状としても良いし、首からぶら下げるペンダントのような使用形態としても良い。
また、親機３に対しては呼出信号を送信し、ウェアラブル端末５に対しては呼出信号とは異なる呼出通知を送信しているが、ウェアラブル端末５に対しても親機３と同様に呼出信号を送信しても良い。制御装置４は、応答した機器から返信される信号が親機３から送信される応答信号かウェアラブル端末５から送信される返信信号かで、その後の通話路形成の有無を判断できる。
この場合、ウェアラブル端末５に、応答信号を送信する応答ボタンと通話路が形成されない返信信号を送信する応対ボタンの双方を設けて、状況に応じて使い分けても良い。
【符号の説明】
【００２９】
１・・ナースコール子機、２・・廊下灯、３・・ナースコール親機、４・・制御装置、５・・ウェアラブル端末（携帯端末）、４１・・患者関連情報記憶部（呼出先テーブル記憶部）、４４・・制御装置ＣＰＵ（呼出制御部）、５１・・無線通信部（通信部）、５２・・表示部、５３・・操作部、５４・・報知部（呼出報知部）、５６・・ウェアラブル端末ＣＰＵ（通信制御部）。
【図１】
2019193016.tif 000003
【図２】
2019193016.tif 000004
【図３】
2019193016.tif 000005
【図４】
2019193016.tif 000006